(57)【要約】【課題】イーサネット網を介して、局装置から宅内装置を遠隔監視制御するシステムにおいて、ユーザデータチャネル数を減少させることなく遠隔監視制御チャネルを構築する。【解決手段】保守管理(OAM)用チャネルとユーザデータ用チャネルを併用する。すなわち、宅内装置110に接続されているユーザ端末130、131は、局装置100とポイントツーポイントで接続される。イーサネット網での経路管理はVLANによって管理される。図示例では、ユーザ端末130は、宅内装置110を介して、VLAN120により局装置100に収容され、ユーザ端末131は、宅内装置110を介して、VLAN121により局装置100に収容される。イーサネットOAMフレームは、ユーザデータチャネルを使用して送受信可能である。これにより、ユーザデータチャネル数を減少させることなく遠隔監視制御チャネルを構築することができる。【選択図】図２
2010200149.tif 000002
【特許請求の範囲】
【請求項１】
ユーザ宅内に設置され、局装置から制御や監視が行われる宅内装置と、該宅内装置を遠隔から監視制御する局装置とが設けられ、前記局装置と宅内装置とがイーサネット網に接続され、相互にイーサネットフレームを送受信する手段を備えた通信システムにおいて、
前記局装置と宅内装置とは、ITU-T 勧告 Y.1731に準拠するイーサネットＯＡＭ(Operation Administration and Maintenance) フレームを終端・挿入する機能を具備し、
前記局装置は、イーサネットフレーム送受信インタフェースとユーザイーサネットフレーム／イーサネットＯＡＭフレームとの分離・多重部と、イーサネットＯＡＭフレームの生成・終端処理部と、遠隔監視制御処理部とを有し、
前記宅内装置は、イーサネットフレーム送受信インタフェースとユーザイーサネットフレーム／イーサネットＯＡＭフレームとの分離・多重部と、イーサネットＯＡＭフレームの生成・終端処理部と、遠隔監視制御処理部とを有し、
前記局装置は、ユーザイーサネットフレームの送受信に使用するＶＬＡＮチャネルで、前記宅内装置の設定を行い、前記宅内装置の状態を読み取る遠隔監視制御情報をのせたイーサネットＯＡＭフレームを、前記宅内装置に送信し、
前記宅内装置は、ユーザイーサネットフレームの送受信に使用するＶＬＡＮチャネルで、前記遠隔監視制御情報を搭載したイーサネットＯＡＭフレームを受信し、前記遠隔監視制御部が遠隔監視制御処理を行うと共に、ユーザイーサネットフレームの送受信に使用するＶＬＡＮチャネルで、宅内装置の遠隔監視制御情報を搭載したイーサネットＯＡＭフレームを前記局装置に送信し、
上記局装置は、ユーザイーサネットフレームの送受信に使用するＶＬＡＮチャネルで、前記遠隔監視制御情報をのせたイーサネットＯＡＭフレームを受信し、前記遠隔監視制御部が遠隔監視制御処理を行うことを特徴とする通信システム。
【請求項２】
ユーザ宅内に設置され、局装置から制御や監視が行われる宅内装置と、該宅内装置を遠隔から監視制御する局装置とが設けられ、前記局装置と宅内装置とがイーサネット網に接続され、相互にイーサネットフレームを送受信する手段を備えた通信システムにおける局装置から宅内装置を監視制御する遠隔監視制御方法において、
前記局装置と宅内装置とは、ITU-T 勧告 Y.1731に準拠するイーサネットＯＡＭ(Operation Administration and Maintenance) フレームを終端・挿入する機能を具備し、
前記局装置は、イーサネットフレーム送受信インタフェースとユーザイーサネットフレーム／イーサネットＯＡＭフレームとの分離・多重部と、イーサネットＯＡＭフレームの生成・終端処理部と、遠隔監視制御処理部とを有し、
前記宅内装置は、イーサネットフレーム送受信インタフェースとユーザイーサネットフレーム／イーサネットＯＡＭフレームとの分離・多重部と、イーサネットＯＡＭフレームの生成・終端処理部と、遠隔監視制御処理部とを有し、
前記局装置は、ユーザイーサネットフレームの送受信に使用するＶＬＡＮチャネルで、前記宅内装置の設定を行い、前記宅内装置の状態を読み取る遠隔監視制御情報をのせたイーサネットＯＡＭフレームを、前記宅内装置に送信し、
前記宅内装置は、ユーザイーサネットフレームの送受信に使用するＶＬＡＮチャネルで、前記遠隔監視制御情報を搭載したイーサネットＯＡＭフレームを受信し、前記遠隔監視制御部が遠隔監視制御処理を行うと共に、ユーザイーサネットフレームの送受信に使用するＶＬＡＮチャネルで、宅内装置の遠隔監視制御情報を搭載したイーサネットＯＡＭフレームを前記局装置に送信し、
上記局装置は、ユーザイーサネットフレームの送受信に使用するＶＬＡＮチャネルで、前記遠隔監視制御情報をのせたイーサネットＯＡＭフレームを受信し、前記遠隔監視制御部が遠隔監視制御処理を行うことを特徴とする遠隔監視制御方法。
【請求項３】
請求項２記載の遠隔監視制御方法において、
前記局装置は、遠隔監視制御に使用するＶＬＡＮチャネルを記憶しておく手段を有し、該ＶＬＡＮチャネルを使用して遠隔監視制御情報を搭載したイーサネットＯＡＭフレームを送受信することを特徴とする遠隔監視制御方法。
【請求項４】
請求項２記載の遠隔監視制御方法において、
前記局装置は、遠隔監視制御に使用するＶＬＡＮチャネルにイーサネットＯＡＭフレームを送信し、
前記宅内装置は、前記イーサネットＯＡＭフレームを受信することにより、該ＶＬＡＮチャネルを遠隔監視制御に使用するＶＬＡＮチャネルとして記憶し、前記ＶＬＡＮチャネルを使用して遠隔監視制御情報をのせたイーサネットＯＡＭフレームを送受信することを特徴とする遠隔監視制御方法。
【請求項５】
請求項４記載の遠隔監視制御方法において、
前記局装置から前記宅内装置にイーサネットＯＡＭのＣＣＭフレームを周期的に送信することにより、前記局装置から前記宅内装置に遠隔監視制御に使用するＶＬＡＮチャネルを通知することを特徴とする遠隔監視制御方法。
【請求項６】
請求項４記載の遠隔監視制御方法において、
前記局装置から前記宅内装置にイーサネットＯＡＭのＶＳＭフレームを送信することにより、前記局装置から前記宅内装置に遠隔監視制御に使用するＶＬＡＮチャネルを通知することを特徴とする遠隔監視制御方法。
【請求項７】
請求項４記載の遠隔監視制御方法において、
前記局装置から前記宅内装置にイーサネットＯＡＭのＬＢフレームを送信することにより、前記局装置から前記宅内装置に遠隔監視制御に使用するＶＬＡＮチャネルを通知することを特徴とする遠隔監視制御方法。
【発明の詳細な説明】
【技術分野】
【０００１】
本発明は、通信システム及び遠隔監視制御方法に係り、特に、加入者装置と加入者収容装置とをイーサネット（登録商標）により接続して構成した通信システム及び加入者収容装置から加入者装置を管理して保守等を行うための遠隔監視制御方法に関する。なお、以下では、イーサネットが登録商標であることの表記を省略する。
【背景技術】
【０００２】
近年、イーサネットは、ＬＡＮ（Local Area Network）領域だけにとどまらず、広域イーサネットサービス等のキャリアネットワークにおいても急速に普及してきている。また、ＡＴＭ等の従来の伝送網に用いられてきたプロトコルに対して、イーサネットを初めとするネットワークに使用されるパケット通信プロトコルには、ＯＡＭ（Operation Administration and Maintenance）機能が定義されていなかったため、その品質管理が課題とされてきた。近年、標準化団体ITU-T (International Telecommunication Union Telecommunication Standardization Sector)及びIEEE (Institute of Electrical and Electronics Engineers, Inc.)において、これらの議論が行われたことにより、ITU-T 勧告 Y.1731(非特許文献１）やIEEE 802.1ag（非特許文献２）が規定され、イーサネットのためのＯＡＭ機能が導入された。また、ＯＡＭを用いた経路切り替え（プロテクション）方式G.8031（非特許文献３）も規格化が完了している。
【０００３】
前述したような標準化により、イーサネット網での通信サービスに関する保守管理が可能となるため、イーサネットを含むパケット通信網におけるＯＡＭ機能の実用化が始まっている。イーサネットは、通常、個人または法人ユーザが所有するＬＡＮに適用されることが多いが、品質管理機能を備えることにより、キャリアが提供するインフラサービスにおいても、その運用が注目されている。そして、ユーザ宅に設置する宅内装置についても、イーサネットＯＡＭの導入が検討されている。
【０００４】
従来、キャリアは、専用線やＩＰ−ＶＰＮによる、ユーザサイト間の中継網を構築するサービスを提供してきた。この場合のユーザとは、主に企業等の法人ユーザを指すことが多い。その理由は、企業ユーザが、災害回避やサーバ等の負荷分散を目的として、それぞれ異なる場所に複数のサイトを持つこと、また、本社と支社等企業規模に応じて複数のサイトを所有する場合に、サイト間の相互通信が必要とされてきたためである。
【０００５】
中継網サービスは、キャリアが提供する中継網内において、ユーザとの契約に応じた帯域保証が行われている。一般に、互いに距離が離れたサイト間の通信は、ユーザに近いインフラを提供するアクセス網プロバイダやコア網を提供するキャリア等の管理者の異なる複数の網を跨ぐ形となり、End-to-Endの帯域保証が困難であった。そのため、互いに距離が離れたサイト間の通信には、ＩＰ−ＶＰＮ等の上位プロトコルを用いた暗号化通信が主に利用されている。また、比較的サイト間が近い場合には、ＭＰＬＳ（Multi Protocol Label Switching）等を用いたＬ２−ＶＰＮサービスも提供されている。
【０００６】
前述で説明したようなイーサネットＯＡＭの標準化に伴い、Layer ２（以下、Ｌ２という）レベルでの通信管理が可能となった。また、アクセス網プロバイダは、コストの高い専用線装置からパケット通信装置へ移行しつつある。これに伴い、これまで困難であったアクセス網とコア網とを一貫して管理するためのコネクションを確立させることが容易となった。具体的には、コア網を提供するキャリアが、ユーザサイト内に遠隔装置を設置し、アクセス網プロバイダを跨いでユーザサイト間の通信全体を管理する方法が導入されつつある。この場合、アクセス網プロバイダは、コア網プロバイダ（キャリア）に対して回線を提供する立場となる。従来、伝送網の下位レイヤ（コア網）に近いキャリアは、アクセス網側キャリアにリソースを提供する立場であったが、パケット通信網の機能が拡充されるに従い、前述したように、そのビジネスモデルが変化してきている。
【先行技術文献】
【非特許文献】
【０００７】
【非特許文献１】ITU-T Recommendation Y.1731
【非特許文献２】IEEE 802.1ag
【非特許文献３】ITU-T Recommendation G.8031/Y.1342
【発明の概要】
【発明が解決しようとする課題】
【０００８】
イーサネット網を介して、加入者収容装置（以下、単に、局装置と言い換える）から加入者装置（以下、単に、宅内装置と言い換える）を遠隔監視制御する場合、遠隔監視制御に使用する遠隔監視制御チャネルを設定する必要がある。従来、この制御チャネルは、ユーザデータトラフィックが流れるチャネルとは別に設定されていた。ユーザデータは、遠隔監視制御チャネルと別に設定されたユーザデータチャネルで送受信が行われるため、１台の宅内装置の運用に、遠隔監視制御チャネルとユーザデータチャネルとを収容する必要が生じ、複数のチャネルが必要となる。
【０００９】
通常、局装置や宅内装置の収容可能チャネル数は有限であるため、前述した従来技術を使用した遠隔監視制御の技術は、遠隔監視制御専用のチャネルを設定することにより、ユーザデータチャネル数を減少させてしまうという問題点生じさせてしまう。また、前述した従来技術を使用した遠隔監視制御の技術は、パケット通信網の管理者が、宅内装置及び局装置の所有者と異なる場合に、パケット通信網のリソースを過度に消費するという問題を生じさせてしまう。
【００１０】
本発明の目的は、前述した従来技術の問題点を解決し、ユーザデータチャネル数を減少させることなく、局装置から宅内装置の遠隔監視制御行うことを可能とした通信システム及び遠隔監視制御方法を提供することにある。
【００１１】
また、本発明の目的は、管理者の異なるパケット通信網を仲介として接続するネットワーク形態を適用した場合に、前記パケット通信網を介して局装置から宅内装置を管理するためのネットワーク構成方法で、宅内装置を制御するためのコネクション数を低減することを可能とした通信システム及び遠隔監視制御方法を提供することにある。
【課題を解決するための手段】
【００１２】
本発明は、前述した目的を達成するために、保守管理（ＯＡＭ）用チャネルとユーザデータ用チャネルを併用し、これにより、イーサネットＯＡＭフレームをユーザデータチャネルを使用して送受信可能とする。本発明は、遠隔監視制御情報をイーサネットＯＡＭフレームに搭載し、ユーザデータチャネルを使用して送受信することにより、遠隔監視制御専用のチャネルを設定する必要がなくなり、ユーザデータチャネル数を減少させることなく、遠隔監視制御を実現させることができる。
【００１３】
しかし、ＯＡＭフレームは宅内装置管理のため、ＯＡＭチャネルに関しては常時、宅内装置と局側装置とのコネクションが保たれる必要がある。そこで、本発明は、ＯＡＭ情報を流すためのチャネルを複数のユーザチャネルのうち１つを選択し、ＯＡＭに割当てられているチャネルに何らかの通信障害が認められた場合には、他のユーザチャネルを用いてＯＡＭ情報を流すようにＯＡＭ情報へのチャネル割当てを変更する。これにより、本発明は、ＯＡＭを用いた宅内装置制御チャネルを維持しつつ、ユーザサービスに必要となるチャネル数の増加を抑えることができる。
【００１４】
具体的には、本発明によれば前記目的は、ユーザ宅内に設置され、局装置から制御や監視が行われる宅内装置と、該宅内装置を遠隔から監視制御する局装置とが設けられ、前記局装置と宅内装置とがイーサネット網に接続され、相互にイーサネットフレームを送受信する手段を備えた通信システムにおける局装置から宅内装置を監視制御する遠隔監視制御方法において、前記局装置と宅内装置とは、ITU-T 勧告 Y.1731に準拠するイーサネットＯＡＭ(Operation Administration and Maintenance) フレームを終端・挿入する機能を具備し、前記局装置は、イーサネットフレーム送受信インタフェースとユーザイーサネットフレーム／イーサネットＯＡＭフレームとの分離・多重部と、イーサネットＯＡＭフレームの生成・終端処理部と、遠隔監視制御処理部とを有し、前記宅内装置は、イーサネットフレーム送受信インタフェースとユーザイーサネットフレーム／イーサネットＯＡＭフレームとの分離・多重部と、イーサネットＯＡＭフレームの生成・終端処理部と、遠隔監視制御処理部とを有し、前記局装置は、ユーザイーサネットフレームの送受信に使用するＶＬＡＮチャネルで、前記宅内装置の設定を行い、前記宅内装置の状態を読み取る遠隔監視制御情報をのせたイーサネットＯＡＭフレームを、前記宅内装置に送信し、前記宅内装置は、ユーザイーサネットフレームの送受信に使用するＶＬＡＮチャネルで、前記遠隔監視制御情報を搭載したイーサネットＯＡＭフレームを受信し、前記遠隔監視制御部が遠隔監視制御処理を行うと共に、ユーザイーサネットフレームの送受信に使用するＶＬＡＮチャネルで、宅内装置の遠隔監視制御情報を搭載したイーサネットＯＡＭフレームを前記局装置に送信し、上記局装置は、ユーザイーサネットフレームの送受信に使用するＶＬＡＮチャネルで、前記遠隔監視制御情報をのせたイーサネットＯＡＭフレームを受信し、前記遠隔監視制御部が遠隔監視制御処理を行うことにより達成される。
【発明の効果】
【００１５】
本発明によれば、ユーザデータチャネル数を減少させることなく、局装置から宅内装置の遠隔監視制御行うことが可能となり、また、管理者の異なるパケット通信網を仲介として接続するネットワーク形態を適用した場合にも、宅内装置を制御するためのコネクション数を低減することが可能となる。
【図面の簡単な説明】
【００１６】
【図１】本発明の一実施形態による通信システムの構成を示すブロック図である。
【図２】本発明の実施形態での遠隔監視制御チャネル設定の例を示す図である。
【図３】局装置とユーザ端末との間で送受信されるユーザフレームのフレーム構成例を示す図である。
【図４】局装置と宅内装置との間で送受信されるイーサネットＯＡＭフレームのフレーム構成例を示す図である。
【図５】局装置の構成を示すブロック図である。
【図６】局装置で管理されるＶＬＡＮテーブルの構成例を示す図である。
【図７】局装置のイーサネットＯＡＭ処理部の詳細な構成を示すブロック図である。
【図８】宅内装置の構成を示すブロック図である。
【図９】宅内装置で管理されるＶＬＡＮテーブルの構成例を示す図である。
【図１０】宅内装置のイーサネットＯＡＭ処理部の詳細な構成を示すブロック図である。
【図１１】本発明の実施形態において、ＣＣＭフレームを使用して宅内装置に制御用ＶＬＡＮを設定する処理を説明するシーケンスチャートである。
【図１２】本発明の実施形態において、ＶＳＭ／ＶＳＲフレームを使用して宅内装置に制御用ＶＬＡＮを設定する処理を説明するシーケンスチャートである。
【図１３】本発明の実施形態において、ＬＢフレームを使用して宅内装置に制御用ＶＬＡＮを設定する処理を説明するシーケンスチャートである。
【図１４】本発明の実施形態において、宅内装置に対して遠隔監視制御を行う処理を説明するシーケンスチャートである。
【図１５】ＣＣＭフレームを使用して制御用ＶＬＡＮを設定する場合の宅内装置の制御用ＶＬＡＮに関する状態遷移の例を説明する図である。
【図１６】ＶＳＭ／ＶＳＲフレームまたはＬＢフレームを使用して制御用ＶＬＡＮを設定する場合の宅内装置の制御用ＶＬＡＮに関する状態遷移の例を説明する図である。
【発明を実施するための形態】
【００１７】
以下、本発明による通信システム及び遠隔監視制御方法の実施形態を図面により詳細に説明する。
【００１８】
図１は本発明の一実施形態による通信システムの構成を示すブロック図である。
【００１９】
本発明の実施形態による通信システムは、通信事業者等の局舎に設置される局装置１００と、それぞれの加入者宅内に設置される宅内装置１１０と、局装置１００及び宅内装置１１０相互間を伝送路１５２及び１５３により接続するイーサネットアクセス網１０とから構成される。局装置１００は、イーサネットアクセス網１０を介して複数の宅内装置１１０を収容可能である。宅内装置１１０には、パーソナルコンピュータ（ＰＣ）等の複数のユーザ端末１３０、１３１が接続可能である。また、局装置１００は、メトロ網やコア網等の上位網４０に伝送路１５１を介して接続される。局装置１００及び宅内装置１１０は、監視制御システム１９０により管理される。そして、宅内装置１１０は、局装置１００を介して監視制御システム１９０に管理される。
【００２０】
図２は本発明の実施形態での遠隔監視制御チャネル設定の例を示す図であり、本発明の特徴を示している。
【００２１】
宅内装置１１０に接続されているユーザ端末１３０、１３１は、局装置１００とポイントツーポイントで接続される。イーサネット網での経路管理はＶＬＡＮによって管理される。図２に示す例では、ユーザ端末１３０は、宅内装置１１０を介して、ＶＬＡＮ１２０により局装置１００に収容され、ユーザ端末１３１は、宅内装置１１０を介して、ＶＬＡＮ１２１により局装置１００に収容される。このことは、ユーザ端末１３０が送受信するユーザデータは、ＶＬＡＮ１２０を使用して送受信され、ユーザ端末１３１が送受信するユーザデータは、ＶＬＡＮ１２１を使用して送受信されることを意味する。
【００２２】
局装置１００と宅内装置１１０とは、ITU-T Y.1731に準拠したイーサネットＯＡＭ機能を具備しており、イーサネットＯＡＭフレームの終端・挿入処理が可能である。そして、イーサネットＯＡＭフレームは、ユーザデータチャネルを使用して送受信可能である。すなわち、イーサネットＯＡＭフレームは、ＶＬＡＮ１２０やＶＬＡＮ１２１を使用して送受信可能である。ユーザデータチャネルを使用して、宅内装置１１０あるいはユーザ端末１３０、１３１に対して各種の制御を行い、宅内装置１１０あるいはユーザ端末１３０、１３１の状態（警報等）を取得するための遠隔監視制御情報を搭載したイーサネットＯＡＭフレームを送受信することにより、局装置１００と宅内装置１１０との間に必要なチャネル数を低減することができる。図２に示す例は、ＶＬＡＮ１２０を遠隔監視制御用１４０としても使用して、ユーザデータと遠隔監視制御情報とを送受信することにより、局装置１００と宅内装置１１０との間に設定するチャネル数を低減している。
【００２３】
図３は局装置１００とユーザ端末１３０との間で送受信されるユーザフレームのフレーム構成例を示す図である。
【００２４】
ユーザフレームは、宛先ＭＡＣアドレス３１０、送信元ＭＡＣアドレス３１１、ＶＬＡＮタグ３１２、タイプ３１３、ペイロード３１４から構成される。ＶＬＡＮタグ３１２は、IEEE 802.1Q で標準化されており、ＶＬＡＮタグであることを示すＴＰＩＤ３２１、フレームの優先度を示すＣｏＳ３２２、ＣＦＩ３２３、ＶＬＡＮの識別に使用するＶＬＡＮ  ＩＤ３２４より構成される。ＶＬＡＮ  ＩＤ３２４により、イーサネット網内の経路が決定される。タイプ３１３は、上位層のプロトコルを識別する番号である。例えば、IPv4であれば0x0800である。
【００２５】
図４は局装置１００と宅内装置１１０との間で送受信されるイーサネットＯＡＭフレームのフレーム構成例を示す図である。
【００２６】
イーサネットＯＡＭフレームは、宛先ＭＡＣアドレス４１０、送信元ＭＡＣアドレス４１１、ＶＬＡＮタグ４１２、タイプ４１３、ペイロード４１４から構成される。イーサネットＯＡＭフレームのタイプ４１３は0x8902である。ペイロード４１４は、イーサネットＯＡＭのデータであり、IEEE 802.1ag、ITU-T Y.1731でそのフォーマットが規定されている。イーサネットＯＡＭのフレームのペイロード４１４は、ＭＥＧレベル４２１、バージョン４２２、OpCode４２３、フラグ４２４、ＴＬＶオフセット４２５、ＯＡＭデータ４２６から構成される。ＭＥＧレベル４２１は、イーサネットＯＡＭフレームの管理レベルを示す。OpCode４２３は、イーサネットＯＡＭの機能を識別するための識別子であり、IEEE 802.1ag、ITU-T Y.1731により規定されている。
【００２７】
OpCode４２３とＯＡＭデータ４２６とは、ＯＡＭの種類によって内容が異なる。図４には、一例として、ベンダーが独自に設定可能な、VSM／VSR(Vender Specific Message / Vender Specific Reply) フレームのフォーマットを示している。VSMのOpCode は0x33であり、VSRのOpcode は0x32である。ＯＡＭデータ４２６は、ＯＵＩ４５１、SubOpcode ４５２、タイプ４５３、長さ４５４、Value ４５５から構成される。
【００２８】
本発明の実施形態での局装置から宅内装置の遠隔監視制御は、遠隔監視制御情報を図４に示したイーサネットＯＡＭフレームに搭載し、ユーザデータチャネルを使用して送受信することにより行うことができる。例えば、遠隔監視制御情報をVSM／VSRフレームに搭載する場合、Value ４５５に遠隔監視制御情報を搭載する。その他のイーサネットＯＡＭフレームに、遠隔監視制御情報を搭載する場合、ユーザが独自に使用することができる領域に遠隔監視制御情報を搭載することにより、イーサネットＯＡＭを使用した遠隔監視制御を実現している。
【００２９】
図３に示して説明したユーザフレームと、図４に示して説明したイーサネットＯＡＭフレームは同じＶＬＡＮを流れる。そのため、局装置１００と宅内装置１１０とは、受信したフレームがユーザフレームなのかイーサネットＯＡＭフレームなのかを判別する必要がある。その判別は、受信フレームのタイプ３１３、４１３を読み取ることにより行うことができる。すなわち、フレームを受け取った装置は、タイプ３１３、４１３が0x8902を持てば、イーサネットＯＡＭフレームであると判別して、イーサネットＯＡＭフレームの処理を行い、タイプが0x8902以外であれば、ユーザフレームであると判別して、ユーザフレームの処理を行う。これらの処理の詳細については、図５及び図７を参照して後述する。
【００３０】
図５は局装置１００の構成を示すブロック図である。局装置１００は、上位網ＩＦ部５１０、下りフレームバッファ５２０、下りフレーム判別・多重部５３０、アクセス網ＩＦ部５４０、上りフレーム判別・多重部５５０、上りフレームバッファ５６０、イーサネットＯＡＭ処理部５７０、ＶＬＡＮテーブル５８０、遠隔監視制御処理部５９０から構成される。
【００３１】
前述において、上位網ＩＦ部５１０は、上位網４０との間で信号を送受信するためのインタフェースであり、ユーザフレームとイーサネットＯＡＭフレームとの送受信を行う。下りフレームバッファ５２０は、上位網４０から受信したデータを一時的に蓄えておくための記録手段である。下りフレーム判別・多重部５３０は、下りフレームがユーザフレームであるかイーサネットＯＡＭフレームであるかを判別し、ユーザフレームであればアクセス網ＩＦ部５４０へ送出し、イーサネットＯＡＭフレームであればイーサネットＯＡＭ処理部５７０へ送出する。また、下りフレーム判別・多重部５３０は、イーサネットＯＡＭ処理部５７０から送られてくるイーサネットＯＡＭフレームをアクセス網ＩＦ部５４０へ送出する。
【００３２】
アクセス網ＩＦ部５４０は、イーサネットアクセス網１０との間で信号を送受信するためのインタフェースであり、ユーザフレームとイーサネットＯＡＭフレームとの送受信を行う。上りフレーム判別・多重部５５０は、上りフレームがユーザフレームであるかイーサネットＯＡＭフレームであるかを判別し、ユーザフレームであれば上りフレームバッファ５６０へ送出し、イーサネットＯＡＭフレームであればイーサネットＯＡＭ処理部５７０へ送出する。また、上りフレーム判別・多重部５５０は、イーサネットＯＡＭ処理部５７０から送られてくるイーサネットＯＡＭフレームを上りフレームバッファ５６０へ送出する。上りフレームバッファ５６０は、上位網４０へ送信するデータを一時的に蓄えておくための記憶手段である。
【００３３】
イーサネットＯＡＭ処理部５７０は、受信したイーサネットＯＡＭフレームのＭＥＧレベル４２１を読み取り、イーサネットＯＡＭフレームの透過または終端を判断する。イーサネットＯＡＭ処理部５７０は、イーサネットＯＡＭフレームのＭＥＧレベル４２１が、イーサネットＯＡＭ処理部の保持する終端ＭＥＧレベルよりも大きい場合、イーサネットＯＡＭフレームを透過処理する。ここで、透過処理とは、下りフレーム判別・多重部５３０から送られてきたイーサネットＯＡＭフレームを、下りフレーム判別・多重部５３０へそのまま折り返し、上りフレーム判別・多重部５５０から送られてきたイーサネットＯＡＭフレームを、上りフレーム判別・多重部５５０へそのまま折り返す処理である。
【００３４】
イーサネットＯＡＭ処理部５７０は、イーサネットＯＡＭフレームのＭＥＧレベル４２１が、イーサネットＯＡＭ処理部の保持する終端ＭＥＧレベル以下の場合、イーサネットＯＡＭフレームを終端し、イーサネットＯＡＭの処理を行う。イーサネットＯＡＭ処理部５７０は、イーサネットＯＡＭフレームを生成し、下りフレーム判別・多重部５３０または上りフレーム判別・多重部５５０へ送信する機能を有す。
【００３５】
ＶＬＡＮテーブル５８０は、局装置１００に収容するＶＬＡＮ情報と、遠隔監視制御に使用するＶＬＡＮ情報とを記憶する。また、遠隔監視制御処理部５９０は、監視制御システム１９０から宅内装置１１０の遠隔監視制御指示を受けた場合、宅内装置１１０の遠隔監視制御を行う。
【００３６】
図６は局装置１００で管理されるＶＬＡＮテーブル５８０の構成例を示す図である。
【００３７】
局装置１００は、複数の宅内装置を収容するため、ＶＬＡＮテーブル５８０内に、宅内装置番号、宅内装置が収容するＶＬＡＮ  ＩＤ、制御用ＶＬＡＮの３つの情報を管理する。制御用ＶＬＡＮとは、遠隔監視制御イーサネットＯＡＭフレームを送受信するＶＬＡＮである。図６に示す例では、局装置１００は、宅内装置１１０、１１１の２装置を収容している。宅内装置１１０は、ＶＬＡＮ  ＩＤ：１２０と１２１、宅内装置１１１は、ＶＬＡＮ  ＩＤ：１３５を収容する。宅内装置１１０を制御する制御用ＶＬＡＮは、ＶＬＡＮ  ＩＤ：１２０、宅内装置１１１を制御する制御用ＶＬＡＮはＶＬＡＮ  ＩＤ：１３５を使用する。
【００３８】
宅内装置１１１が複数のＶＬＡＮを収容する場合、特定のＶＬＡＮで遠隔監視制御イーサネットＯＡＭフレームを送受信するように設定される。これは、管理性を向上するためである。遠隔監視制御に使用しているＶＬＡＮに障害が発生した場合、予め設定されている別のＶＬＡＮに遠隔監視制御チャネルを切り替えることができる。図６に示している宅内装置番号１１０の例では、ＶＬＡＮ１２０に障害が発生した場合、ＶＬＡＮ１２１に切り替えることができる。
【００３９】
図７は局装置１００のイーサネットＯＡＭ処理部５７０の詳細な構成を示すブロック図である。イーサネットＯＡＭ処理部５７０は、OpCode判別部７１０、イーサネットＯＡＭ生成部７２０、ＣＣＭ処理部７３０、ＶＳＭ／ＶＳＲ処理部７４０、その他イーサネットＯＡＭ処理部７５０から構成される。
【００４０】
OpCode判別部７１０は、上りフレーム判別・多重部５５０または下りフレーム判別・多重部５３０から送られてくるイーサネットＯＡＭフレームのOpCode４２３を読み取り、OpCode４２３の値によりイーサネットＯＡＭフレームの送出先を決定して送出する。例えば、OpCode判別部７１０は、OpCodeが0x01のＣＣＭであれば、受け取ったイーサネットＯＡＭフレームをＣＣＭ処理部７３０へ送出する。
【００４１】
ＣＣＭ処理部７３０は、ＣＣＭ受信によるＶＬＡＮチャネルの接続性監視を行う。すなわち、ＣＣＭ処理部７３０は、ＣＣＭのＶＬＡＮタグを読み取ることにより、ＶＬＡＮの接続性を確認する。そして、ＣＣＭ処理部７３０は、ＣＣＭ未受信が一定期間続いた場合、チャネル障害と判定し、ＡＩＳ(Alarm Indication Signal）とＲＤＩ（Remote Defect Indication）との生成・送出をイーサネットＯＡＭ生成部７２０に指示する。
【００４２】
ＶＳＭ／ＶＳＲ処理部７４０は、OpCode判別部７１０がイーサネットＯＡＭフレームのOpCode４２３を判別して送信してきたイーサネットＯＡＭフレームのＶＳＭ／ＶＳＲの終端処理を行う。すなわち、ＶＳＭ／ＶＳＲ処理部７４０は、遠隔監視制御ＶＳＲを受信した場合、遠隔監視制御情報を遠隔監視制御処理部５９０へ送出する。ＶＳＭ／ＶＳＲ処理部７４０は、遠隔監視制御処理部５９０から遠隔監視制御ＶＳＭを宅内装置１１０へ送信するように指示を受けた場合、イーサネットＯＡＭ生成部７２０に対し、遠隔監視制御ＶＳＭを生成し宅内装置１１０へ遠隔監視制御ＶＳＭを送信するように指示する。
【００４３】
その他イーサネットＯＡＭ処理部７４０は、OpCode判別部７１０がイーサネットＯＡＭフレームのOpCode４２３を判別して送信してきたＣＣＭ、ＶＳＭ、ＶＳＲ以外のイーサネットＯＡＭ（例えば、ＡＩＳ等）の終端処理を行う。また、その他イーサネットＯＡＭ処理部７４０は、イーサネットＯＡＭ生成部７２０へイーサネットＯＡＭの生成・送出を指示する。
【００４４】
イーサネットＯＡＭ生成部７２０は、ＣＣＭ処理部７３０、ＶＳＭ／ＶＳＲ処理部７４０またはその他イーサネットＯＡＭ処理部７５０から指示を受け、イーサネットＯＡＭフレームを生成し、上りフレーム判別・多重部５５０または下りフレーム判別・多重部５３０へ送出する。
【００４５】
図８は宅内装置１１０の構成を示すブロック図である。宅内装置１１０は、アクセス網ＩＦ部８１０、下りフレーム判別・多重部８２０、下りフレームバッファ８３０、加入者網ＩＦ部８４０、上りフレームバッファ８５０、上りフレーム判別・多重部８６０、イーサネットＯＡＭ処理部８７０、ＶＬＡＮテーブル８８０、遠隔監視制御処理部８９０から構成される。
【００４６】
前述において、アクセス網ＩＦ部８１０は、イーサネットアクセス網１０との間で信号を送受信するためのインタフェースであり、ユーザフレームとイーサネットＯＡＭフレームとの送受信を行う。下りフレーム判別・多重部８２０は、下りフレームが、ユーザフレームであるかイーサネットＯＡＭフレームであるかを判別し、ユーザフレームであれば、そのフレームを下りフレームバッファ８３０へ送出し、イーサネットＯＡＭフレームであれば、そのフレームをイーサネットＯＡＭ処理部８７０へ送出する。また、下りフレーム判別・多重部８２０は、イーサネットＯＡＭ処理部８７０から送られてくるイーサネットＯＡＭフレームを下りフレームバッファ８３０へ送出する。下りフレームバッファ８３０は、加入者網へ送信するデータを一時的に蓄えておくための記憶手段である。
【００４７】
加入者網ＩＦ部８４０は、加入者が有するユーザ端末１３０との間で信号を送受信するためのインタフェースであり、ユーザフレームとイーサネットＯＡＭフレームとの送受信を行う。上りフレームバッファ８５０は、加入者網から受信したデータを一時的に蓄えておくための記憶手段である。上りフレーム判別・多重部８６０は、上りフレームが、ユーザフレームであるかイーサネットＯＡＭフレームであるかを判別し、ユーザフレームであれば、そのフレームをアクセス網ＩＦ部８１０へ送出し、イーサネットＯＡＭフレームであれば、そのフレームをイーサネットＯＡＭ処理部８７０へ送出する。また、上りフレーム判別・多重部８６０は、イーサネットＯＡＭ処理部８７０から送られてくるイーサネットＯＡＭフレームをアクセス網ＩＦ部８１０へ送出する。
【００４８】
イーサネットＯＡＭ処理部８７０は、受信したイーサネットＯＡＭフレームのＭＥＧレベル４２１を読み取り、イーサネットＯＡＭフレームの透過または終端を判断する。イーサネットＯＡＭ処理部８７０は、前述の判断で、イーサネットＯＡＭフレームのＭＥＧレベル４２１が、イーサネットＯＡＭ処理部が保持する終端ＭＥＧレベルよりも大きい場合、イーサネットＯＡＭフレームを透過処理する。ここで、透過処理とは、下りフレーム判別・多重部８２０から送られてきたイーサネットＯＡＭフレームを、下りフレーム判別・多重部８２０へそのまま折り返し、上りフレーム判別・多重部８６０から送られてきたイーサネットＯＡＭフレームを、上りフレーム判別・多重部８６０へそのまま折り返す処理である。また、イーサネットＯＡＭ処理部８７０は、前述の判断で、イーサネットＯＡＭフレームのＭＥＧレベル４２１が、イーサネットＯＡＭ処理部が保持する終端ＭＥＧレベル以下の場合、イーサネットＯＡＭフレームを終端し、イーサネットＯＡＭの処理を行う。さらに、イーサネットＯＡＭ処理部８７０は、イーサネットＯＡＭフレームを生成し、下りフレーム判別・多重部８２０または上りフレーム判別・多重部８６０へ送信する機能をも有す。
【００４９】
ＶＬＡＮテーブル８８０は、宅内装置１１０に収容するＶＬＡＮ情報と、遠隔監視制御に使用するＶＬＡＮ情報を記憶するテーブルである。遠隔監視制御処理部８９０は、ユーザ端末に対する遠隔監視制御処理を行う。
【００５０】
図９は宅内装置１１０で管理されるＶＬＡＮテーブル８８０の構成例を示す図である。
【００５１】
複数のＶＬＡＮを収容可能な宅内装置は、どのＶＬＡＮを使用して遠隔監視制御ＶＳＭ／ＶＳＲを送受信するかを、ＶＬＡＮテーブル８８０により決める。図の例では、宅内装置は、ＶＬＡＮ  ＩＤ：１２０と１２１を収容しており、制御用ＶＬＡＮとして、ＶＬＡＮ  ＩＤ：１２０を使用することが記述されている。ＶＬＡＮ  ＩＤ：１２０以外で受信した制御用フレームについては破棄される。これは、誤接続による制御フレームの誤流入を防ぐためである。
【００５２】
宅内装置１１１が複数のＶＬＡＮを収容する場合、特定のＶＬＡＮで遠隔監視制御イーサネットＯＡＭフレームを送受信するように設定する。また、遠隔監視制御に使用しているＶＬＡＮに障害が発生した場合、予め設定されている別のＶＬＡＮに遠隔監視制御チャネルを切り替える。
【００５３】
図１０は宅内装置１１０のイーサネットＯＡＭ処理部８７０の詳細な構成を示すブロック図である。イーサネットＯＡＭ処理部８７０は、OpCode判別部１０１０、イーサネットＯＡＭ生成部１０２０、ＣＣＭ処理部１０３０、ＶＳＭ／ＶＳＲ処理部１０４０、その他イーサネットＯＡＭ処理部１０５０から構成される。
【００５４】
OpCode判別部１０１０は、上りフレーム判別・多重部８６０または下りフレーム判別・多重部８２０から送られてくるイーサネットＯＡＭフレームのOpCode４２３を読み取り、OpCode４２３の値によりイーサネットＯＡＭフレームの送出先を決定して送出する。例えば、OpCode判別部１０１０は、OpCodeが0x01のＣＣＭであれば、受け取ったイーサネットＯＡＭフレームをＣＣＭ処理部１０３０へ送出する。
【００５５】
ＣＣＭ処理部１０３０は、ＣＣＭ受信によるＶＬＡＮチャネルの接続性監視を行う。すなわち、ＣＣＭ処理部１０３０は、ＣＣＭのＶＬＡＮタグを読み取ることにより、ＶＬＡＮの接続性を確認する。そして、ＣＣＭ処理部１０３０は、ＣＣＭ未受信が一定期間続いた場合、チャネル障害と判定し、ＡＩＳとＲＤＩとの生成・送出をイーサネットＯＡＭ生成部１０２０に指示する。
【００５６】
ＶＳＭ／ＶＳＲ処理部１０４０は、OpCode判別部１０１０がイーサネットＯＡＭフレームのOpCode４２３を判別して送信してきたイーサネットＯＡＭフレームのＶＳＭ／ＶＳＲの終端処理を行う。すなわち、ＶＳＭ／ＶＳＲ処理部１０４０は、遠隔監視制御ＶＳＭを受信した場合、遠隔監視制御情報を遠隔監視制御処理部８９０へ送出する。ＶＳＭ／ＶＳＲ処理部１０４０は、遠隔監視制御処理部８９０から遠隔監視制御ＶＳＲを局装置１００へ送信するように指示を受けた場合、イーサネットＯＡＭ生成部１０２０に対し、遠隔監視制御ＶＳＲを生成し局装置１００へ遠隔監視制御ＶＳＲを送信するように指示する。
【００５７】
その他イーサネットＯＡＭ処理部１０５０は、OpCode判別部７１０がイーサネットＯＡＭフレームのOpCode４２３を判別して送信してきたＣＣＭ、ＶＳＭ、ＶＳＲ以外のイーサネットＯＡＭ（例えば、ＡＩＳ等）の終端処理を行う。また、その他イーサネットＯＡＭ処理部１０５０は、イーサネットＯＡＭ生成部１０２０へイーサネットＯＡＭの生成・送出を指示する。
【００５８】
イーサネットＯＡＭ生成部１０２０は、ＣＣＭ処理部１０３０、ＶＳＭ／ＶＳＲ処理部１０４０またはその他イーサネットＯＡＭ処理部１０５０から指示を受け、イーサネットＯＡＭフレームを生成し、上りフレーム判別・多重部８６０または下りフレーム判別・多重部８２０へ送出する。
【００５９】
図１１は本発明の実施形態において、ＣＣＭフレームを使用して宅内装置１１０に制御用ＶＬＡＮを設定する処理を説明するシーケンスチャートであり、次に、これについて説明する。ここで説明するシーケンスの例は、宅内装置１１０には起動時に制御用ＶＬＡＮが設定されていない状態で、宅内装置１１０に設定値を登録するために、局装置１００から宅内装置１１０に制御用ＶＬＡＮを遠隔設定する場合の処理の例である。
【００６０】
（１）まず、監視制御システム１９０は、局装置１００に対して、設定したい宅内装置１１０のＩＤと、遠隔監視制御信号を流すＶＬＡＮ  ＩＤとを通知する（シーケンス１１０１）。
【００６１】
（２）局装置１００は、監視制御システム１９０から通知を受けた宅内装置のＩＤとＶＬＡＮ  ＩＤをと自装置内のＶＬＡＮテーブル５８０に書き込み、通知されたＶＬＡＮ  ＩＤのタグを付与したＣＣＭフレームを宅内装置１１０に送出する（シーケンス１１０２、１１０３）。
【００６２】
（３）宅内装置１１０は、局装置１００から受信したＣＣＭフレームのＶＬＡＮ  ＩＤを保持する。そして、宅内装置１１０は、例えば、連続でＮ回（例えば、Ｎ＝５）同じＶＬＡＮ  ＩＤのＣＣＭフレームを受信したときに、そのＶＬＡＮを制御用ＶＬＡＮに設定する（シーケンス１１０４）。
【００６３】
（４）宅内装置１１０は、同時に、自装置内のＶＬＡＮテーブル８８０に制御用ＶＬＡＮを書き込み、設定が完了したことを局装置１００に通知するために、制御用ＶＬＡＮに設定したＶＬＡＮ  ＩＤを付与したＣＣＭフレームを局装置１００へ送出する（シーケンス１１０５、１１０６）。
【００６４】
（５）局装置１００は、宅内装置１１０から制御用ＶＬＡＮのタグを付与したＣＣＭフレームをＮ回（例えば、Ｎ＝５）受信したときに、制御用ＶＬＡＮの設定が正常終了したことを確認し、設定完了通知を監視制御システムに送出する（シーケンス１１０７、１１０８）。
【００６５】
（６）監視制御システム１９０は、局装置１００から設定完了通知を受けることにより、制御用ＶＬＡＮの設定が正常終了したことを確認する（シーケンス１１０９）。
【００６６】
図１２は本発明の実施形態において、ＶＳＭ／ＶＳＲフレームを使用して宅内装置１１０に制御用ＶＬＡＮを設定する処理を説明するシーケンスチャートであり、次に、これについて説明する。
【００６７】
（１）まず、監視制御システム１９０は、局装置１００に対して、設定したい宅内装置１１０のＩＤと、遠隔監視制御信号を流すＶＬＡＮ  ＩＤとを通知する（シーケンス１２０１）。
【００６８】
（２）局装置１００は、監視制御システム１９０から通知を受けた宅内装置のＩＤとＶＬＡＮ  ＩＤをと自装置内のＶＬＡＮテーブル５８０に書き込み、通知されたＶＬＡＮ  ＩＤのタグを付与したＶＳＭフレームを宅内装置１１０に送出する（シーケンス１２０２、１２０３）。
【００６９】
（３）宅内装置１１０は、局装置１００から受信したＶＳＭフレームのＶＬＡＮ  ＩＤを制御用ＶＬＡＮに設定する。また、宅内装置１１０は、同時に、自装置内のＶＬＡＮテーブル８８０に制御用ＶＬＡＮを書き込み、設定が完了したことを局装置１００に通知するために、制御用ＶＬＡＮに設定したＶＬＡＮ  ＩＤのタグを付与したＶＳＲフレームを局装置１００へ送出する（シーケンス１２０４〜１２０６）。
【００７０】
（４）局装置１００は、制御用ＶＬＡＮのタグを付与したＶＳＲフレームを受信することにより、制御用ＶＬＡＮの設定が正常終了したことを確認し、監視制御システム１９０に設定完了通知を送出する（シーケンス１２０７、１２０８）。
【００７１】
（５）監視制御システム１９０は、局装置１００から設定完了通知を受けることにより、制御用ＶＬＡＮの設定が正常終了したことを確認する（シーケンス１１０９）。
【００７２】
図１３は本発明の実施形態において、ＬＢフレームを使用して宅内装置１１０に制御用ＶＬＡＮを設定する処理を説明するシーケンスチャートであり、次に、これについて説明する。
【００７３】
（１）まず、監視制御システム１９０は、局装置１００に対して、設定したい宅内装置１１０のＩＤと、遠隔監視制御信号を流すＶＬＡＮ  ＩＤとを通知する（シーケンス１３０１）。
【００７４】
（２）局装置１００は、監視制御システム１９０から通知を受けた宅内装置のＩＤとＶＬＡＮ  ＩＤをと自装置内のＶＬＡＮテーブル５８０に書き込み、通知されたＶＬＡＮ  ＩＤのタグを付与したＬＢフレームを宅内装置１１０に送出する（シーケンス１３０２、１３０３）。
【００７５】
（３）宅内装置１１０は、局装置１００から受信したＬＢフレームのＶＬＡＮ  ＩＤを保持する。そして、宅内装置１１０は、例えば、連続でＮ回（例えば、Ｎ＝５）同じＶＬＡＮ  ＩＤのＬＢフレームを受信したときに、そのＶＬＡＮを制御用ＶＬＡＮに設定する（シーケンス１３０４）。
【００７６】
（４）宅内装置１１０は、同時に、自装置内のＶＬＡＮテーブル８８０に制御用ＶＬＡＮを書き込み、設定が完了したことを局装置１００に通知するために、制御用ＶＬＡＮに設定したＶＬＡＮ  ＩＤを付与したＬＢフレームを局装置１００へ送出する（シーケンス１３０５、１３０６）。
【００７７】
（５）局装置１００は、宅内装置１１０から制御用ＶＬＡＮのタグを付与したＬＢフレームを受信することにより、制御用ＶＬＡＮの設定が正常終了したことを確認し、設定完了通知を監視制御システムに送出する（シーケンス１３０７、１３０８）。
【００７８】
（６）監視制御システム１９０は、局装置１００から設定完了通知を受けることにより、制御用ＶＬＡＮの設定が正常終了したことを確認する（シーケンス１３０９）。
【００７９】
図１４は本発明の実施形態において、宅内装置１１０に対して遠隔監視制御を行う処理を説明するシーケンスチャートであり、次に、これについて説明する。
【００８０】
（１）宅内装置１１０の遠隔監視制御を行う際、まず、監視制御システム１９０は、局装置１００に対して、宅内装置１１０の遠隔監視制御情報を送信する（シーケンス１４０１）。
【００８１】
（２）局装置１００は、宅内装置１１０からの遠隔監視制御情報を受信すると、自装置内の遠隔監視制御処理部５９０に受信した遠隔監視制御情報を解読させ、遠隔監視制御処理部５９０は、解読の結果に従って、イーサネットＯＡＭ処理部５７０へ遠隔監視制御ＶＳＭフレームを生成する指示を出す（シーケンス１４０２）。
【００８２】
（３）イーサネットＯＡＭ処理部５７０は、ＶＬＡＮテーブル５８０から制御用ＶＬＡＮを読み出し、制御用ＶＬＡＮを使用して遠隔監視制御ＶＳＭフレームを生成し、生成した遠隔監視制御ＶＳＭフレームを宅内装置１１０へ送信する（シーケンス１４０３）。
【００８３】
（４）宅内装置１１０は、受信した遠隔監視制御ＶＳＭフレームから遠隔監視制御情報を読み取り、自装置内の遠隔監視制御処理部８９０に受信した遠隔監視制御情報を反映させる（シーケンス１４０４）。
【００８４】
（５）宅内装置１１０は、設定完了を通知するために、遠隔監視制御処理部８９０がイーサネットＯＡＭ処理部８７０へ遠隔監視制御応答ＶＳＲフレームを生成するように指示して、遠隔監視制御応答ＶＳＲフレームを生成させ、生成した遠隔監視制御応答ＶＳＲフレームを局装置１００へ送信する。ここでの応答フレームの送信は、制御用ＶＬＡＮを使用しておこなわれる（シーケンス１４０５、１４０６）。
【００８５】
（６）局装置１００は、応答フレームを受信すると、遠隔監視制御処理部５９０が受信した応答フレームにより遠隔監視制御による設定が完了したことを確認し、監視制御システム１９０に設定完了通知を送出する（シーケンス１４０７、１４０８）。
【００８６】
（７）監視制御システム１９０は局装置１００から設定完了通知を受けることにより、遠隔監視制御による設定が正常終了したことを確認する（シーケンス１４０９）。
【００８７】
図１５は本発明の実施形態においてＣＣＭフレームを使用して制御用ＶＬＡＮを設定する場合の宅内装置１１０の制御用ＶＬＡＮに関する状態遷移の例を説明する図であり、次に、これについて説明する。
【００８８】
（１）宅内装置１１０の初期状態は、制御用ＶＬＡＮ未設定状態１５１０である。宅内装置１１０は、この状態でＣＣＭを受信することにより保護状態１５２０へ移行する（遷移１５５１）。
【００８９】
（２）宅内装置１１０は、保護状態１５２０で同一ＣＣＭを連続受信Ｎ回（例えば、Ｎ＝５）受信することにより、制御用ＶＬＡＮ設定状態１５３０へ移行し、制御用ＶＬＡＮが設定される（遷移１５５２）。また、ＣＣＭを受信しても同一ＣＣＭ連続受信がＮ回未満の場合、保護状態１５２０に留まる（遷移１５５６）。
【００９０】
（３）また、宅内装置１１０は、保護状態１５２０で、ＣＣＭをＮ回（例えば、Ｎ＝３）
受信しなかった場合、ＬＯＣ（Loss Of Continuity）の発生と認識し、制御用ＶＬＡＮ未設定状態１５１０へ移行する（遷移１５５４）。
【００９１】
（４）宅内装置１１０は、制御用ＶＬＡＮ設定状態１５３０で、制御用ＶＬＡＮのＣＣＭをＮ回（例えば、Ｎ＝３）受信しなかった場合、ＬＯＣ（Loss Of Continuity）の発生と認識し、制御用ＶＬＡＮ未設定状態１５１０へ移行し、制御用ＶＬＡＮが設定されていない状態になる（遷移１５５５）。
【００９２】
（５）また、宅内装置１１０は、制御用ＶＬＡＮ設定状態１５３０で、制御用ＶＬＡＮ以外のＶＬＡＮのＣＣＭを受信した場合、保護状態１５２０へ移行する（遷移１５５３）。
【００９３】
（６）さらに、宅内装置１１０は、保護状態１５２０で、Ｎ回（例えば、Ｎ＝５）連続してＣＣＭを受信した場合、制御用ＶＬＡＮが新しいＶＬＡＮに再設定されて制御用ＶＬＡＮ設定状態１５３０となる（遷移１５５２）。
【００９４】
図１６は本発明の実施形態においてＶＳＭ／ＶＳＲフレームまたはＬＢフレームを使用して制御用ＶＬＡＮを設定する場合の宅内装置１１０の制御用ＶＬＡＮに関する状態遷移の例を説明する図であり、次に、これについて説明する。
【００９５】
（１）宅内装置１１０の初期状態は、制御用ＶＬＡＮ未設定状態１６１０である。宅内装置１１０は、この状態でＶＳＭフレームまたはＬＢフレームを受信することにより制御用ＶＬＡＮ設定状態１６２０へ移行する（遷移１６５１）。
【００９６】
（２）宅内装置１１０は、制御用ＶＬＡＮ設定状態１６２０で、局装置１００との間で制御用ＶＬＡＮを用いてＣＣＭフレームの送受信を行い、接続性の監視を行う。
【００９７】
（３）宅内装置１１０は、制御用ＶＬＡＮ設定状態１６２０で、制御用ＶＬＡＮのＣＣＭをＮ回（例えばＮ＝３）受信しなかった場合、ＬＯＣ（Loss Of Continuity）の発生と認識し、制御用ＶＬＡＮ未設定状態１６１０へ移行し、制御用ＶＬＡＮが設定されていない状態になる（遷移１６５２）。
【００９８】
前述した本発明の実施形態によれば、局装置１００と宅内装置１１０との間の遠隔監視制御を、遠隔監視制御専用のチャネルを使用することなく、ユーザデータチャネルに遠隔監視制御信号を搭載したイーサネットＯＡＭフレームを送受信することにより実行することが可能となる。これにより、本発明の実施形態によれば、ユーザデータチャネル数を減少させることなく、局装置から宅内装置の遠隔監視制御を行うことが可能な遠隔監視制御チャネルの構築を行うことができる。
【００９９】
また、前述した本発明の実施形態によれば、パケット中継網内のチャネル設定において、ユーザデータ用に用いるチャネルのみが必要であり、装置側の有限なインタフェース数を節約することができ、また、パケット中継網内のリソース（ＶＬＡＮラベル数など）の消費を低減し、パケット通信網の帯域利用を効率化することができる。
【０１００】
また、前述した本発明の実施形態によれば、ＯＡＭチャネル切り替えにおいても、予め局装置と宅内装置との間に設定されているチャネルを割当て直すため、チャネル切り替え時に、パケット通信網内の他のトラフィック及びパケット通信網の設定へ与える影響を回避することができる。
【０１０１】
さらに、前述した本発明の実施形態によれば、ユーザデータ用に設定したチャネル全てを監視することが、ＯＡＭフレームによる帯域消費量を考慮すると通信効率の低下につながるため、宅内装置との接続のみを管理しておき、重要度の高いＯＡＭ情報のみ常時通信可能なようにＯＡＭチャネルの切り替えを行うことにより、通信効率の低下という問題も回避することができる。この点は、特に、ベストエフォート型のパケット通信網を介したコネクション管理に有効である。
【符号の説明】
【０１０２】
１０  イーサネットアクセス網
４０  上位網
１００  局装置
１１０  宅内装置
１２０、１２１  ＶＬＡＮ
１３０、１３１  ユーザ端末
１４０  制御用ＶＬＡＮ
１５１、１５２、１５３  伝送路
１９０  監視制御システム
５１０  上位網ＩＦ部
５２０、８３０  下りフレームバッファ
５３０、８２０  下りフレーム判別・多重部
５４０、８１０  アクセス網ＩＦ部
５５０、８６０  上りフレーム判別・多重部
５６０、８５０  上りフレームバッファ
５７０、８７０  イーサネットＯＡＭ処理部
５８０、８８０  ＶＬＡＮテーブル
５９０  遠隔監視制御処理部
７１０、１０１０  OpCode判別部
７２０、１０２０  イーサネットＯＡＭ生成部
７３０、１０３０  ＣＣＭ処理部
７４０、１０４０  ＶＳＭ／ＶＳＲ処理部
７５０、１０５０  その他イーサネットＯＡＭ処理部
８４０  加入者網ＩＦ部
８９０  遠隔監視制御処理部
【図１】
2010200149.tif 000003
【図２】
2010200149.tif 000004
【図３】
2010200149.tif 000005
【図４】
2010200149.tif 000006
【図５】
2010200149.tif 000007
【図６】
2010200149.tif 000008
【図７】
2010200149.tif 000009
【図８】
2010200149.tif 000010
【図９】
2010200149.tif 000011
【図１０】
2010200149.tif 000012
【図１１】
2010200149.tif 000013
【図１２】
2010200149.tif 000014
【図１３】
2010200149.tif 000015
【図１４】
2010200149.tif 000016
【図１５】
2010200149.tif 000017
【図１６】
2010200149.tif 000018